(57)【特許請求の範囲】
【請求項１】
電源に電源ケーブルによりサーモスタットが接続され、このサーモスタットに接続された温床線が、ルーフドレインの排水管内に挿入され、この温床線が発熱することにより、上記排水管の凍結を防止するルーフドレインの凍結防止装置であって、
上記サーモスタットは、上記ルーフドレインの排水口に、当該排水口の上方に位置するように設置された取付部材に取り付けられるとともに、上記電源ケーブルは、上記排水管内を通され、さらに上記排水管から外方に延びて室内の電源に接続されていることを特徴とするルーフドレインの凍結防止装置。
【発明の詳細な説明】
【０００１】
【発明の属する技術分野】
本発明は、電源に電源ケーブルによりサーモスタットが接続され、このサーモスタットに接続された温床線が、ルーフドレインの排水管内に挿入され、この温床線が発熱することにより、上記排水管の凍結を防止するルーフドレインの凍結防止装置に関するものである。
【０００２】
【従来の技術】
従来、ルーフドレインの凍結防止装置は、例えば、図４に示すようなものが知られている。
すなわち、ルーフドレインＤは、積雪の多い寒冷地の建物の屋上等に設けられるものであって、屋根Ｒに設けられた窪みに排水口１が開口され、この排水口１には、ストレーナ２が設置されているとともに、下方に垂直に延びる排水管３が連設されて構成されている。
【０００３】
そして、ルーフドレインＤが塔屋などの近くにある場合には、凍結防止装置の電源ケーブル４の一端が室外の電源に接続され、他端が室外のブルボックス５内に収納されているサーモスタット６に接続されており、このサーモスタット６に温床線７が接続され、この温床線７がストレーナ２の隙間から排水管３内に挿入されている。
【０００４】
一方、電源が近くになくて外部の電源に接続できない場合は、図４において、一点鎖線で示すように、サーモスタット６が排水管３の枝管３Ａ内に設置されて、このサーモスタット６に接続された電源ケーブル４が、室内の電源に接続されるとともに、サーモスタット６に接続された温床線７が、排水管３内に下方に向かって挿入されている。
【０００５】
【発明が解決しようとする課題】
しかしながら、前者のルーフドレインの凍結防止装置においては、サーモスタット６に設置されている通電ランプの点灯によって、温床線７の導通を確認することができるものの、サーモスタット６からストレーナ２までの間、温床線７が外部に露出するため、雪や雨に晒されてしまうとともに、架け渡された状態であることから、他の設備の邪魔になるという問題がある。
【０００６】
一方、後者のものは、サーモスタット６の通電ランプによる温床線７の導通の確認が困難であり、またサーモスタット６等の点検がやりずらいという問題がある。特に、サーモスタット６の設置場所が、吹き抜け部等の天井が高い場合に、点検が非常に困難である。
【０００７】
本発明は、上記事情に鑑みなされたもので、サーモスタットの通電確認が容易で、かつサーモスタット等の保守点検が容易であるとともに、電源ケーブルの損傷等を抑制でき、かつ他の機器の邪魔にならないルーフドレインの凍結防止装置を提供することを目的とするものである。
【０００８】
【課題を解決するための手段】
上記目的を達成するために、請求項１に記載のルーフドレインの凍結防止装置は、電源に電源ケーブルによりサーモスタットが接続され、このサーモスタットに接続された温床線が、ルーフドレインの排水管内に挿入され、この温床線が発熱することにより、上記排水管の凍結を防止するルーフドレインの凍結防止装置であって、上記サーモスタットは、上記ルーフドレインの排水口に、当該排水口の上方に位置するように設置された取付部材に取り付けられるとともに、上記電源ケーブルは、上記排水管内を通され、さらに上記排水管から外方に延びて室内の電源に接続されていることを特徴とするものである。
【０００９】
請求項１の発明においては、サーモスタットが、ルーフドレインの排水口に設置された取付部材に取り付けられているので、サーモスタットの通電確認が容易であり、またサーモスタット等の保守点検が容易である。また、電源ケーブルが排水管内を通されて室内の電源に接続されているので、温床線の雪や雨等による劣化や損傷が抑制されるとともに、他の機器の邪魔になることがない。
【００１０】
【発明の実施の形態】
以下、本発明のルーフドレインの凍結防止装置の一実施の形態を、図１ないし図３に基づいて説明する。なお、これらの図において、図４と同一構成要素には同一符号を付してその説明を簡略化する。
【００１１】
本実施の形態においては、図１に示すように、サーモスタット６が、排水口１に設置されたストレーナ２に取り付けられた取付部材８に、設置されている。
すなわち、取付部材８は、図２および図３に示すように、下側が開放された四角箱状のサーモスタット取付部８Ａと、このサーモスタット取付部８Ａの両側面からそれぞれ下方に向かって延びる脚部８Ｂ、８Ｂとを備えており、これらの脚部８Ｂ、８Ｂの下端部がそれぞれ、ストレーナ２の下端部側面に、ボルト、ナット等の締着具９によって締め付けられることによって、取付部材８は、そのサーモスタット取付部８Ａがストレーナ２の上方に位置するように、ストレーナ２に取り付けられている。
そして、サーモスタット６は、サーモスタット取付部８Ａの上壁に、ビス等の締着具１０によって、サーモスタット取付部８Ａ内に位置するように、固定されている。
【００１２】
一方、サーモスタット６に一端を接続された電源ケーブル４は、ストレーナ２の隙間から排水管３内に挿入されて下方に延び、さらに支管３Ａを通って排水管３から外部に延びて室内の電源に接続されている。
【００１３】
また、サーモスタット６に一端を接続された温床線７は、ストレーナ２の隙間から排水管３内を挿入されて排水管３内を下方に向かって延びている。
【００１４】
このように構成されたルーフドレインの凍結防止装置においては、サーモスタット６を電源に接続すると、サーモスタット６に設置された電源ランプが点灯する。また、サーモスタット６が作動してＯＮ状態になると、温床線７に電気が流れ発熱するとともに、サーモスタット６に設置された通電ランプが点灯する。この通電ランプの点灯を確認することにより、温床線７の導通を確認することができる。
【００１５】
このようなルーフドレインの凍結防止装置にあっては、サーモスタット６が、ストレーナ２に取り付けられた取付部材８に設置されているため、サーモスタット６の通電確認が容易であり、またサーモスタット６等の保守点検が容易である。また、電源ケーブル４が排水管３内を通されて室内の電源に接続されているため、温床線７の雪や雨等による劣化や損傷が抑制されるとともに、他の機器の邪魔になることがない。
【００１６】
【発明の効果】
以上説明したように、請求項１に記載のルーフドレインの凍結防止装置によれば、サーモスタットを、ルーフドレインの排水口に、当該排水口の上方に位置するように設置された取付部材に取り付けるとともに、電源ケーブルを排水管内を通し、さらに上記排水管から外方に延出させて室内の電源に接続したから、サーモスタットの通電確認を容易に行うことができるとともに、サーモスタット等の保守点検を容易に行うことができ、さらには温床線の雪や雨等による損傷等を抑制することができるとともに、他の機器の邪魔になるのを防止することができるという効果を奏する。
【図面の簡単な説明】
【図１】本発明のルーフドレインの凍結防止装置の一実施の形態を示す側面図である。
【図２】本発明に係る取付部材の側面図である。
【図３】本発明に係る取付部材の平面図である。
【図４】従来のルーフドレインの凍結防止装置を示す側面図である。
【符号の説明】
Ｄ  ルーフドレイン
１  排水口
３  排水管
４  電源ケーブル
６  サーモスタット
７  温床線
８  取付部材
【図１】
0004161451.tif 000002
【図２】
0004161451.tif 000003
【図３】
0004161451.tif 000004
【図４】
0004161451.tif 000005